(57)【要約】【課題】不正利用を抑制することができる自動改札機、改札システム、およびプログラムを提供することである。【解決手段】実施形態の自動改札機は、読取部と、判定部と、制御部とを持つ。読取部は、利用者の端末装置に表示された画像から前記端末装置に対応付けられた識別情報を読み取る。判定部は、前記読取部の処理結果に基づいて、利用者の入場を許可することができるか否かを判定する。制御部は、前記判定部により入場が許可された場合、前記読取部により読取られた識別情報から得られる通信アドレスを用いて、前記端末装置に前記利用者によって出場時に利用される情報を送信する処理を実行する。【選択図】図１
2019057020.tif 000002
【特許請求の範囲】
【請求項１】
利用者の端末装置に表示された画像から前記端末装置に対応付けられた識別情報を読み取る読取部と、
前記読取部の処理結果に基づいて、利用者の入場を許可するか否かを判定する判定部と、
前記判定部により入場が許可された場合、前記読取部により読取られた識別情報から得られる通信アドレスを用いて、前記端末装置に前記利用者によって出場時に利用される情報を送信するための処理を実行する制御部と、
を備える自動改札機。
【請求項２】
前記通信アドレスは、前記端末装置に対して設定された電話番号に対応する通信アドレスである、
請求項１に記載の自動改札機。
【請求項３】
前記出場時に利用される情報は、前記端末装置の表示部に表示される画像にエンコードされる効力情報であり、特定の駅で出場可能であることを示す効力情報である、
請求項１または請求項２に記載の自動改札機。
【請求項４】
前記出場時に利用する情報は、所定のアクセス先を示す情報である、
請求項１から３のうちいずれか１項に記載の自動改札機。
【請求項５】
前記制御部は、サーバ装置に、前記出場時に利用する情報を送信することを依頼する処理を、前記端末装置に前記利用者によって出場時に利用される情報を送信するための処理として実行する、
請求項１から４のうちいずれか１項に記載の自動改札機。
【請求項６】
前記自動改札機が出場側改札機として機能する場合、
前記読取部は、利用者の端末装置に表示された画像から前記識別情報および交通機関の出場時に利用される効力情報を読み取り、
前記判定部は、前記読取部により読取られた効力情報に基づいて、利用者の出場を許可することができるか否かを判定する、
請求項１から５のうちいずれか１項に記載の自動改札機。
【請求項７】
前記読取部は、利用者の端末装置に表示された画像から前記識別情報である第１の識別情報および交通機関の利用に対する効力に対応付けられた第２の識別情報を読み取り、
前記判定部は、前記自動改札機が出場側改札機として機能する場合、前記読取部により読取られた第２の識別情報に基づいて、利用者の出場を許可するか否かを判定する、
請求項１から６のうちいずれか１項に記載の自動改札機。
【請求項８】
通信機能を有さない媒体に表示された画像から端末装置の通信アドレスを含む情報を読み取る読取部と、
前記読取部の処理結果に基づいて、利用者の入場を許可するか否かを判定する判定部と、
前記判定部により入場が許可された場合、前記読取部により読取られた情報から得られる通信アドレスを用いて、前記端末装置に前記利用者によって出場時に利用される情報を送信するための処理を実行する制御部と、
を備える自動改札機。
【請求項９】
請求項１から８のうちいずれか１項に記載の自動改札機と、
前記自動改札機により送信された識別情報を受信し、受信した識別情報から得られる通信アドレスを用いて、前記端末装置に前記利用者によって出場時または入場時に利用される情報を送信するサーバ装置と、
を備える改札システム。
【請求項１０】
第１の端末装置のコンピュータに、
前記第１の端末装置の表示部に前記第１の端末装置に対応付けられた識別情報がエンコードされた画像を表示させ、
第２の端末装置により送信された利用者が出場時に利用する情報を取得させ、
前記出場時に利用する情報をエンコードした画像を生成させ、
前記生成した画像を前記表示部に表示させる、
プログラム。
【請求項１１】
第１の端末装置のコンピュータに、
前記第１の端末装置の表示部に前記第１の端末装置に対応付けられた第１の識別情報がエンコードされた画像を表示させ、
第２の端末装置により送信された情報を用いて、第２の識別情報を利用者が出場する自動改札機に送信するか否かを問い合わせる画像を表示部に表示させ、
所定の操作を受け付けた場合、前記第２の端末装置に、前記第２の識別情報を利用者が出場する自動改札機に送信することを指示させ、
前記指示した後に前記第２の識別情報をエンコードした画像を生成させ、
前記生成した画像を前記表示部に表示させる、
プログラム。
【発明の詳細な説明】
【技術分野】
【０００１】
本発明の実施形態は、自動改札機、改札システム、およびプログラムに関する。
【背景技術】
【０００２】
従来、自動改札機を通過するのに必要な各種情報がエンコードされたＱＲコード（登録商標）などの画像を、端末装置の表示画面に表示させたものを乗車券として利用する技術が知られている。自動改札機の側では、画像をカメラなどで撮像し、画像解析によって各種情報を読み取って通過可否の判定を行う。この種の乗車券を使用させる場合、コピーによる不正利用を抑制する必要がある。
【先行技術文献】
【特許文献】
【０００３】
【特許文献１】特開２０１２−１５５３７１号公報
【発明の概要】
【発明が解決しようとする課題】
【０００４】
本発明が解決しようとする課題は、不正利用を抑制することができる自動改札機、改札システム、およびプログラムを提供することである。
【課題を解決するための手段】
【０００５】
実施形態の自動改札機は、読取部と、判定部と、制御部とを持つ。読取部は、利用者の端末装置に表示された画像から前記端末装置に対応付けられた識別情報を読み取る。判定部は、前記読取部の処理結果に基づいて、利用者の入場を許可することができるか否かを判定する。制御部は、前記判定部により入場が許可された場合、前記読取部により読取られた識別情報から得られる通信アドレスを用いて、前記端末装置に前記利用者によって出場時に利用される情報を送信する処理を実行する。
【図面の簡単な説明】
【０００６】
【図１】第１の実施形態における改札システム１を示す図。
【図２】自動改札機３０を上方から見た図。
【図３】自動改札機３０の機能構成を示す図。
【図４】センタサーバ装置７０の機能構成を示す図。
【図５】決済サーバ装置９０の機能構成を示す図。
【図６】端末装置１００の構成の一例を示す図。
【図７】改札システム１によって行われる処理の概要を示す図。
【図８】改札システム１により実行される処理を示すシーケンス図。
【図９】管理テーブル８２の内容の一例を示す図。
【図１０】端末装置１００により実行される処理の流れを示すフローチャート。
【図１１】入場駅の自動改札機３０により実行される処理の流れを示すフローチャート。
【図１２】センタサーバ装置７０により実行される処理の流れを示すフローチャート。
【図１３】第２の実施形態の改札システム１により実行される処理を示すシーケンス図。
【図１４】所定の画像ＩＭの一例を示す図。
【図１５】端末装置１００により実行される処理の流れを示すフローチャート。
【発明を実施するための形態】
【０００７】
以下、実施形態の自動改札機、改札システム、およびプログラムを、図面を参照して説明する。実施形態の改札システムは、例えば鉄道やバスなどの公共交通機関において、駅の入出場やバスの乗降車の管理を行うシステムである。以下の説明では、改札システムが鉄道において適用される例について説明する。
【０００８】
（第１の実施形態）
［全体構成］
各実施形態において共通の構成から説明する。図１は、第１の実施形態における改札システム１を示す図である。改札システム１は、例えば、Ａ駅システム１０Ａと、Ｂ駅システム１０Ｂと、センタサーバ装置７０と、決済サーバ装置９０と、端末装置１００とを備える。なお、改札システム１は、Ａ駅システム１０Ａ、およびＢ駅システム１０Ｂの他に、複数の駅システムを含んでもよい。以下、Ａ駅システム１０Ａと、Ｂ駅システム１０Ｂとを区別しない場合は、単に「駅システム１０」と称する。また、図示する例では、Ａ駅システム１０Ａに含まれる構成を符号の末尾に「Ａ」を付し、Ｂ駅システム１０Ｂに含まれる構成を符号の末尾に「Ｂ」を付して示している。いずれの駅システムに含まれる構成であるか区別しない場合は、「Ａ」または「Ｂ」を省略して示す。
【０００９】
また、駅システム１０は、例えば、駅サーバ２０や複数の自動改札機３０（３０Ａ−１〜３０Ａ−Ｎ（「Ｎ」は任意の自然数）、および３０Ｂ−１〜３０Ｂ−Ｎ）の他、券売機、駅務機器等を備える。駅サーバ２０は、ネットワークＮＷを介してセンタサーバ装置７０から取得した情報を、専用線を介して自動改札機３０に送信したり、自動改札機３０から専用線を介して取得した情報を、ネットワークＮＷを介してセンタサーバ装置７０に送信したりする。ネットワークＮＷは、ＬＡＮ（Local Area Network）や、ＷＡＮ（Wide Area Network）、Ｗｉ−Ｆｉ網等を含む。
【００１０】
［自動改札機］
図２は、自動改札機３０を上方から見た図である。自動改札機３０は、所定の情報がエンコードされたコード画像が表示された媒体を乗車券として扱う自動改札機である。上記のコードは、例えば、ＱＲコード等の二次元コードや、バーコード等の一次元コード等である。なお、上記のコードは、機械（自動改札機３０）によって内容が認識可能であると共に、人が視認することによって内容が認識できないものであれば如何なる態様であってもよい。
【００１１】
自動改札機３０は、筐体３１と、リーダ３２と、通過センサ３８−１から３８−４と、上面表示部４０と、正面表示部４２と、扉４４および４５と、制御部５０とを備える。リーダ３２は、「読取部」の一例である。
【００１２】
自動改札機３０のリーダ３２は、例えば筐体３１の一端に設けられる。リーダ３２は、図２のａ方向に通過しようとする利用者によって提示された画像にエンコードされた情報を読み取って、読み取った情報を制御部５０に出力する。
【００１３】
リーダ３２は、例えば、接近検出センサと、光学読取部と、ライトとを備える。接近検出センサは、利用者が端末装置１００の表示部に表示された画像をリーダ３２に提示する際に、検出面に端末装置１００が接近した場合に、物体が接近している旨を示す検出信号を制御部５０に出力する。これにより、接近検出センサは、端末装置１００がリーダ３２に提示されたことを検出する。接近検出センサは、例えば、赤外線センサやステレオカメラ等により実現される。
【００１４】
光学読取部は、ＣＣＤ（Charge Coupled Device）やＣＭＯＳ（Complementary Metal Oxide Semiconductor）等の固体撮像素子を備えたカメラを含む。また、光学読取部は、バーコードリーダのように受光素子と増幅器、情報解読部（デコード部）等を備えるものであってもよい。
【００１５】
光学読取部は、利用者によって、リーダ３２に提示された画像を撮像する。光学読取部は、撮像した画像を制御部５０に出力する。ライトは、光学読取部が画像を撮像する際に、画像に向けて光を照射する。
【００１６】
通過センサ３８−１から３８−４は、例えば自動改札機３０の通路側の側面に複数設けられる。複数の通過センサ３８−１から３８−４は、自動改札機３０により形成された通路内の利用者を検出する。通過センサ３８−１から３８−４は、例えば赤外線センサや、光センサなどで実現される。通過センサ３８−１から３８−４は、対向する補機に設けられた通過センサと連携して通路内の利用者を検出するものであってもよい。なお、自動改札機３０は、任意の数の通過センサを備えてよい。以下、通過センサを他の通過センサと区別しない場合は、ハイフン（−）以下の符号を省略し、単に通過センサ３８と表記する。
【００１７】
上面表示部４０は、リーダ３２に画像が提示された場合に、制御部５０によって処理された結果を表示する。正面表示部４２は、図２のａ方向に通過可能であるか否かを示すマークや図形、文字等を表示する。正面表示部４２の表示内容または表示の有無は、制御部５０によって決定される。
【００１８】
自動改札機３０の制御部５０は、扉４４および対向する補機の扉４５を開放状態または閉止状態に制御することで、図２のａ方向に通過しようとしている利用者の通過を許可または禁止する。
【００１９】
図３は、自動改札機３０の機能構成を示す図である。自動改札機３０の制御部５０は、例えば、改札機側記憶部５２と、画像処理部５８と、改札処理部６０と、制御部６２と、改札機側通信部６６とを備える。画像処理部５８、改札処理部６０、および制御部６２は、ＣＰＵ（Central Processing Unit）等のプロセッサがプログラムを実行することで実現されてよい。また、これらの機能部のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェアで実現されてもよい。
【００２０】
改札機側記憶部５２は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。改札機側記憶部５２は、プロセッサが実行するプログラム、自機が入場用または出場用の改札機であるかを示す情報等を格納する。
【００２１】
画像処理部５８は、光学読取部により撮像された画像から得られる電子情報に対してデコード等の処理を行い、ビット列などで表されるコンピュータが認識可能な情報に変換する。電子情報とは、例えば、画像の画素情報を配列化した情報である。画像処理部５８は、上記処理により二次元コードや、一次元コード等に符号化された情報の内容を読み取る。なお、このような画像解析の機能を、光学読取部が備えてもよい。
【００２２】
改札処理部６０は、端末装置１００に表示された画像から読み取った情報に基づいて利用者の入場判定、または出場判定を行う。
【００２３】
制御部６２は、改札処理部６０の判定結果に基づいて、利用者の通過を許可、または禁止する制御を実行する。利用者の通過を禁止する制御をする場合、制御部６２は、扉４４、４５を閉止状態にしたり、正面表示部４２に通過を許可しないことを示す情報を表示させたりする。利用者の通過を許可する制御をする場合、制御部６２は、扉４４、４５を開放状態にしたり、正面表示部４２に通過を許可することを示す情報を表示させたりする。
【００２４】
改札機側通信部６６は、センタサーバ装置７０と通信する。改札機側通信部６６は、制御部５０の処理結果や、改札機側記憶部５２に記憶された情報等をセンタサーバ装置７０に送信する。
【００２５】
なお、自動改札機３０は、利用者の一方向の通過のみを許可するものに限らず、利用者の双方向の通過を許可するものであってもよい。
【００２６】
［センタサーバ装置］
図４は、センタサーバ装置７０の機能構成を示す図である。センタサーバ装置７０は、例えば、センタサーバ側通信部７２と、情報処理部７４と、センタサーバ側記憶部８０とを備える。
【００２７】
センタサーバ側通信部７２は、自動改札機３０、決済サーバ装置９０、および端末装置１００と通信する。情報処理部７４は、自動改札機３０により送信された情報を受信し、受信した情報から得られる通信アドレスを用いて、端末装置１００に、利用者によって出場時または入場時に利用される情報を送信する処理を実行する。
【００２８】
センタサーバ側記憶部８０は、情報処理部７４により実行されるプログラムや、各駅に設定された自動改札機の識別情報（改札機ＩＤ）、管理テーブル８２等が記憶されている。管理テーブル８２については後述する。
【００２９】
［決済サーバ装置］
図５は、決済サーバ装置９０の機能構成を示す図である。決済サーバ装置９０は、例えば、決済サーバ側通信部９２と、決済管理部９４と、決済サーバ側記憶部９６とを備える。決済サーバ側通信部９２は、センタサーバ装置７０と情報を送受信する。決済管理部９４は、センタサーバ装置７０の依頼に基づいて、決済処理を行い、決済サーバ側通信部９２を用いて、決済処理の結果をセンタサーバ装置７０に送信する。また、決済管理部９４は、例えば、センタサーバ装置７０により送信された決済に関する情報を後述する決済情報９８として管理する。
【００３０】
決済サーバ側記憶部９６は、決済管理部９４により実行されるプログラムや、決済情報９８等が記憶されている。決済情報９８とは、利用者の氏名や、決済の方法（例えばクレジットカードによる決済や、銀行口座による決済、電子マネーによる決済等）、決済方法に対応する情報（銀行口座番号や、クレジットカード番号等）である。
【００３１】
［端末装置］
図６は、端末装置１００の構成の一例を示す図である。端末装置１００は、スマートフォンやタブレット端末等の携帯型の端末装置である。端末装置１００は、例えば、タッチパネル部１０２と、端末側通信部１０４と、端末処理部１０６と、コード生成部１０８と、端末側記憶部１１０とを備える。タッチパネル部１０２は、利用者による入力操作を受け付ける操作部と、画像を表示する表示部と、が一体として形成されている。なお、端末装置１００は、タッチパネル部１０２に代えて（或いは、加えて）、例えば、ボタン、キーボード、マウス、マイク、タッチパネル等の操作部と、表示部とを備えてもよい。
【００３２】
端末側通信部１０４は、図示しない無線基地局により仲介されるセルラー網やＷｉ−Ｆｉ網、専用回線、プロバイダ、インターネット等を介してセンタサーバ装置７０と通信する。
【００３３】
端末処理部１０６およびコード生成部１０８は、ＣＰＵ等のプロセッサが端末側記憶部１１０に記憶されたプログラム（例えば改札処理アプリ１１２）を実行することにより実現される。プログラムは、例えば、ネットワークＮＷを介してアプリケーションサーバからダウンロードされてもよいし、ＳＤカードなどの可搬型記憶媒体に格納されたものが端末装置１００にインストールされてもよい。利用者が、最初に改札処理アプリ１１２を利用またはダウンロード等する際に、利用者は、表示部に表示された画像において、タッチパネル部１０２を操作して、氏名の入力や、所定の処理を実行可能させるためのパスワード、鉄道の運賃の決済の方法の選択などの利用者登録を行う。利用者は、選択した決済方法に応じて、クレジットカード番号や、銀行口座の番号等の入力を行う。
【００３４】
また、改札処理アプリ１１２の処理が実行されることにより、端末装置１００の端末側記憶部１１０に記憶されたＳＩＭカード（Subscriber Identity Module Card）の識別情報に対応付けられた電話番号を取得する。利用者登録された情報および電話番号は、アプリケーションサーバを介して、センタサーバ装置７０および決済サーバ装置９０に送信され、各サーバ装置の記憶部に記憶される。なお、センタサーバ装置７０が、アプリケーションサーバと同等の機能を有してもよい。
【００３５】
コード生成部１０８は、利用者の電話番号および効力情報をエンコードしたコード（例えばＱＲコード）を含むコード画像を生成し、生成したコード画像をタッチパネル部１０２の表示部に表示させる。効力情報とは、利用者が利用することができる駅（例えば入場可能な駅、または出場可能な駅）、利用可能な期間（例えば発行日当日のみ有効）などの情報である。端末側記憶部１１０は、プロセッサが実行する改札処理アプリ１１２等のプログラムを格納する。
【００３６】
例えば、利用者は、改札処理アプリ１１２を起動させて、所定の操作を行うことにより、定期券や乗車券、一日乗車券、回数券などを購入することができる。例えば、定期券を購入する際に、利用者は、所定の操作を行って、利用区間や利用期間等を選択操作することにより、定期券を購入することができる。上述した所定の操作に伴って利用者により入力された情報（例えば、利用区間や、電話番号、決済に関する情報等）は、センタサーバ装置７０に送信される。センタサーバ装置７０は、送信された情報を取得し、取得した情報に基づいて、効力情報と電話番号とを対応付けてセンタサーバ側記憶部８０に記憶させ、効力情報を管理する。
【００３７】
［改札システムの処理の概要］
図７は、改札システム１によって行われる処理の概要を示す図である。入場駅において、利用者は、所定の操作によって改札処理アプリ１１２を起動させると、改札処理アプリ１１２が起動することによって端末装置１００の表示部に入場用コード画像が表示される。入場用コード画像とは、端末装置１００の電話番号、および入場用の効力情報がエンコードされたコードを含む画像である。入場用の効力情報とは、入場可能な駅の情報、および当該駅に入場可能な期間を示す情報等である。利用者が、自動改札機３０のリーダ３２にコード画像を翳すと、自動改札機３０がコード画像にエンコードされた情報を取得する。そして、自動改札機３０は、入場用の効力情報に基づいて利用者の入場を許可すると、取得した電話番号をセンタサーバ装置７０に送信する。
【００３８】
センタサーバ装置７０は、取得した電話番号を用いて、端末装置１００に出場用の効力情報を含むメッセージを、ＳＭＳを利用して送信する（ショートメッセージサービスを用いた送信を行う）。端末装置１００は、センタサーバ装置７０からＳＭＳのメッセージを受信すると、自動的に出場用コード画像を表示部に表示させる。出場用コード画像とは、端末装置１００の電話番号、および出場用の効力情報がエンコードされたコードを含む画像である。出場用の効力情報とは、出場可能な駅の情報、および当該駅から出場可能な期間を示す情報等である。そして、利用者は、出場駅の自動改札機３０のリーダ３２にコード画像を翳すことにより、出場駅を出場することができる。
【００３９】
例えば、ＳＭＳのメッセージには、例えば、効力情報が含まれることを示す情報が含まれている。端末装置１００は、効力情報を含まないメッセージであるか否かを上記の情報を用いて判定し、効力情報を含むメッセージを受信した場合に、自動的に出場用コードを生成し、出場用コード画像を表示部に表示させる。また、端末装置１００は、所定の送信先であるか否かによって、効力情報を含まないメッセージであるか否かを判定してもよい。
【００４０】
図８は、改札システム１により実行される処理を示すシーケンス図である。本処理は、利用者が改札処理アプリ１１２を利用して定期券を購入した後に、定期券を利用する場合の一例である。また、本処理では、端末装置１００は、既に入場用の効力情報をセンタサーバ装置７０から取得しているものとする。
【００４１】
まず、端末装置１００の改札処理アプリ１１２が所定の操作がされて起動すると、端末装置１００は、表示部に入場用コード画像を表示させる（ステップＳ１００）。利用者は、入場駅に入場する際に入場駅の自動改札機３０のリーダ３２に入場用コード画像を翳す。
【００４２】
入場用コード画像がリーダ３２に翳されると、自動改札機３０のリーダ３２が、端末装置１００の表示部に表示された入場用コード画像を読み取り、入場用コード画像にエンコードされた入場用の効力情報と、電話番号とを取得する（ステップＳ１０２）。次に、自動改札機３０の改札処理部６０が、利用者が入場することができるか否かを判定して入場を許可すると、自動改札機３０の制御部６２が、取得した電話番号をセンタサーバ装置７０に送信する（ステップＳ１０４）。
【００４３】
次に、センタサーバ装置７０の情報処理部７４が、電話番号を受信し、管理テーブル８２を参照して、受信した電話番号に対応する出場用の効力情報を取得し（ステップＳ１０６）、取得した出場用の効力情報を含むメッセージを、ステップＳ１０２で取得した電話番号を有する端末装置１００にＳＭＳを利用して送信する（ステップＳ１０８）。これにより、利用者の端末装置１００の表示部には出場時にリーダ３２に翳す出場用コード画像が表示される。
【００４４】
図９は、管理テーブル８２の内容の一例を示す図である。管理テーブル８２は、利用者により改札処理アプリ１１２が操作され、端末装置１００からセンタサーバ装置７０に送信された情報や、利用者の交通機関の利用に関する情報が登録された情報である。管理テーブル８２には、例えば、電話番号に対して、ユーザを一意に特定する識別情報（ユーザＩＤ）や、定期乗車券の利用区間、定期乗車券の利用期間、定期外乗車券の利用区間、定期外乗車券の利用区間、支払方法（クレジットカード支払や口座引き落とし）等が対応付けられている。なお、管理テーブル８２には、ユーザＩＤに代えて、券ＩＤが用いられてもよい。この場合、例えば、１つの券ＩＤに対して、１つの種類（例えば、定期乗車券または定期外乗車券）の効力情報が対応付けられる。
【００４５】
次に、端末装置１００の端末処理部１０６は、センタサーバ装置７０から出場用の効力情報を受信すると、自動的に出場用コード画像を生成し、生成した出場用コード画像を自動的に端末装置１００の表示部に表示させる（ステップＳ１１０）。
【００４６】
利用者が出場用コード画像を出場駅の自動改札機３０のリーダ３２に翳すと、自動改札機３０のリーダ３２が、端末装置１００の表示部に表示された出場用コード画像を読み取り、画像にエンコードされた出場用の効力情報と、電話番号とを取得する（ステップＳ１１２）。次に、自動改札機３０の改札処理部６０が、利用者が出場することができるか否かを判定して出場を許可すると、自動改札機３０の制御部６２が、取得した電話番号をセンタサーバ装置７０に送信する（ステップＳ１１４）。また、センタサーバ装置７０は、利用者が出場したことを示す情報を自動改札機３０から取得した場合、利用された効力情報が利用されたことを示す情報を駅サーバ１０に配信してもよい。そして、駅サーバ１０は、自動改札機３０等の駅務機器に当該効力情報が無効であることを送信する。これにより出場用の効力情報が再度利用されることを抑制することができる。
【００４７】
次に、センタサーバ装置７０の情報処理部７４が、電話番号を受信し、受信した電話番号に対応する入場用の効力情報を取得し（ステップＳ１１６）、取得した入場用の効力情報を含むメッセージを、ステップＳ１１２で取得した電話番号を有する端末装置１００にＳＭＳを利用して送信する（ステップＳ１１８）。これにより、利用者は、入場時にリーダ３２に翳す入場用コード画像を表示部に表示させることができる。
【００４８】
上述したように、利用者は、出場用コード画像を生成するための情報を、利用者が入場駅を入場した後に取得するため、コピーなどによる不正使用を抑制することができる。また、利用者は、端末装置１００に表示されるコード画像を自動改札機３０に翳すことにより、入出場を行うことができるため、利用者にとっての利便性が向上する。
【００４９】
図１０は、端末装置１００により実行される処理の流れを示すフローチャートである。まず、端末装置１００は、改札処理アプリ１１２が起動したか否かを判定する（ステップＳ２００）。改札処理アプリ１１２が起動すると、コード生成部１０８が、入場用コード画像を生成し、端末処理部１０６が、生成した入場用コード画像を表示部に表示させる（ステップＳ２０２）。利用者が、入場用コード画像を用いて入場駅に入場した後、端末処理部１０６は、センタサーバ装置７０から出場用の効力情報を含むメッセージをＳＭＳで受信したか否かを判定する（ステップＳ２０４）。出場用の効力情報を含むメッセージをＳＭＳで受信すると、コード生成部１０８が、出場用コード画像を生成し、端末処理部１０６が、生成した出場用コード画像を表示部に表示させる（ステップＳ２０６）。これにより、本フローチャートの１ルーチンの処理は終了する。
【００５０】
上述した処理により、端末装置１００は、利用者によって複雑な操作がされなくても、入場時または出場時に利用するコード画像を表示部に表示させることができる。
【００５１】
図１１は、入場駅の自動改札機３０により実行される処理の流れを示すフローチャートである。まず、自動改札機３０は、端末装置１００の表示部に表示された入場用コード画像がリーダ３２に翳されたか否かを判定する（ステップＳ３００）。入場用コード画像がリーダ３２に翳されると、画像処理部５８が、入場用コード画像から入場用の効力情報および電話番号を取得する（ステップＳ３０２）。次に、改札処理部６０が、取得した入場用の効力情報に基づいて、入場を許可するか否かを判定する（ステップＳ３０４）。入場を許可しないと判定された場合、制御部６２が、扉４４、４５を閉止状態に制御する（ステップＳ３０６）。入場を許可すると判定された場合、制御部６２が、扉４４、４５を開放状態に制御する（ステップＳ３０８）。次に、制御部６２が、ステップＳ３０２で取得した電話番号をセンタサーバ装置７０に送信する（ステップＳ３１０）。これにより本フローチャートの１ルーチンの処理は終了する。
【００５２】
上述したように、自動改札機３０は、利用者により翳された入場用コード画像から入場用の効力情報および電話番号を取得して入場判定を行い、出場用の効力情報を端末装置１００に送信させるために、電話番号をセンタサーバ装置７０に送信する。これにより、利用者にとっての利便性を低下させずに、不正利用を抑制することができる。
【００５３】
なお、出場駅の自動改札機３０においても、上記の処理と同等の処理が行われるが、この場合、自動改札機３０は、入場用の効力情報に代えて、出場用の効力情報を取得し（ステップＳ３０２）、取得した出場用の効力情報に基づいて、利用者が駅構内から出場することができるか否かを判定する。
【００５４】
図１２は、センタサーバ装置７０により実行される処理の流れを示すフローチャートである。まず、情報処理部７４は、入場駅の自動改札機３０から電話番号を取得したか否かを判定する（ステップＳ４００）。電話番号を取得したと判定した場合、情報処理部７４は、管理テーブル８２を参照して、取得した電話番号に対応付けられた出場駅（利用区間）の情報を取得する（ステップＳ４０２）。
【００５５】
次に、情報処理部７４は、取得した出場駅（利用区間）の情報および出場可能な期間の情報を含むメッセージを、取得した電話番号の端末装置１００にＳＭＳを利用して送信する（ステップＳ４０４）。これにより、端末装置１００は、出場用コード画像を表示部に表示させることができる。
【００５６】
次に、情報処理部７４は、出場駅の自動改札機３０から電話番号を取得したか否かを判定する（ステップＳ４０６）。電話番号を取得したと判定した場合、情報処理部７４は、管理テーブル８２を参照して、取得した電話番号に対応付けられた入場駅（利用区間）の情報を取得する（ステップＳ４０８）。
【００５７】
次に、情報処理部７４は、取得した入場駅（利用区間）の情報および入場可能な期間の情報を含むメッセージを、ステップＳ４０６で取得した電話番号の端末装置１００にＳＭＳを利用して送信する（ステップＳ４１０）。これにより、端末装置１００は、入場用コード画像を表示部に表示させることができる。そして、本フローチャートの１ルーチンの処理は終了する。
【００５８】
なお、上記の例では、電話番号をコード画像にエンコードするものとして説明したが、これに限られない。例えば、端末装置１００の電子メールのアドレスや、所定の識別情報がコード画像にエンコードされてもよい。例えば、電子メールのアドレスがコード画像にエンコードされる場合、電子メールによって効力情報が端末装置１００に送信される。
また、所定の識別情報がコード画像にエンコードされる場合、センタサーバ装置７０は、予めセンタサーバ側記憶部８０に記憶された識別情報に対応付けられた電話番号や電子メールアドレスを用いて、効力情報を端末装置１００に送信する。
【００５９】
また、利用者が所定の区間について利用することができる乗車券を、改札処理アプリ１１２を利用して購入した場合、コード画像にエンコードされた効力情報が一度利用されると、その後、利用された効力情報は無効化される。これにより、コード画像が不正利用されることが防止される。
【００６０】
また、コード画像にエンコードされた効力情報は、所定の路線内の駅や所定の地域内の駅で入出場することができるものであってもよい。この場合、センタサーバ装置７０は、当該効力情報を利用して入場または出場した駅の履歴に基づいて、所定の路線内や所定の地域内から飛び出した、区間外乗車分の運賃を利用者に対応付けて課金してもよい。課金された金額は、決済サーバ装置９０で管理され、即日または後日、利用者に請求される。
【００６１】
以上説明した第１の実施形態によれば、自動改札機３０は、リーダ３２により読取られた識別情報から得られる通信アドレスを用いて、端末装置１００に、利用者によって出場時に利用される効力情報を送信する処理を実行することにより、不正利用を抑制することができる。
【００６２】
（第２の実施形態）
第１の実施形態では、センタサーバ装置７０は、端末装置１００に入場用の効力情報または出場用の効力情報を送信するものとしたが、第２の実施形態では、所定のアクセス先を示す情報（例えばＵＲＬ）を送信する。以下、第１の実施形態との相違点を中心に説明する。なお、第１と第２の実施形態は組み合わされて実施されてもよい。
【００６３】
第２の実施形態では、コード画像には、所定の識別情報（ユーザＩＤ）および電話番号がエンコードされたコードが含まれる。すなわち第２の実施形態では、入場時と出場時に用いるコード画像は同一である。ユーザＩＤは、「第２の識別情報」の一例である。
【００６４】
図１３は、第２の実施形態の改札システム１により実行される処理を示すシーケンス図である。本処理は、利用者が改札処理アプリ１１２を利用して定期券を購入した後に、定期券を利用する例である。また、本処理では、入場駅の自動改札機３０は、入場が許可されるユーザＩＤをセンタサーバ装置７０から取得しているものとする。
【００６５】
まず、端末装置１００の改札処理アプリ１１２が所定の操作がされて起動すると、端末装置１００は、表示部にコード画像を表示させる（ステップＳ５００）。利用者は、入場駅に入場する際に入場駅の自動改札機３０のリーダ３２にコード画像を翳す。
【００６６】
コード画像がリーダ３２に翳されると、自動改札機３０のリーダ３２が、端末装置１００の表示部に表示されたコード画像を読み取り、コード画像にエンコードされたユーザＩＤと、電話番号とを取得する（ステップＳ５０２）。次に、自動改札機３０の改札処理部６０が、利用者が入場することができるか否かを判定して入場を許可すると、自動改札機３０の制御部６２が、取得した電話番号をセンタサーバ装置７０に送信する（ステップＳ５０４）。なお、入場が許可されるユーザＩＤは、予めセンタサーバ装置７０から自動改札機３０に配信されている。
【００６７】
次に、センタサーバ装置７０の情報処理部７４が、電話番号を受信し、管理テーブル８２を参照して、受信した電話番号に対して出場用の効力情報が対応付けられているか否かを確認し（ステップＳ５０６）、出場用の効力情報が対応付けられている場合、取得した電話番号を有する端末装置１００に所定のＵＲＬを含むメッセージを、ＳＭＳを利用して送信する（ステップＳ５０８）。所定のＵＲＬとは、利用者が、出場駅となり得る自動改札機３０にユーザＩＤを配信することを指示することができる所定のアクセス先を示す情報である。
【００６８】
次に、端末装置１００の端末処理部１０６は、センタサーバ装置７０から所定のＵＲＬを受信すると、自動的に所定のＵＲＬを有するウエブサイトにアクセスし、所定の画像を表示部に表示させる（ステップＳ５１０）。図１４は、所定の画像ＩＭの一例を示す図である。所定の画像ＩＭとは、出場駅となり得る自動改札機３０にユーザＩＤを配信するか否かを、利用者に問い合わせる画像である。例えば、利用者が画像ＩＭに規定された規定領域をタップ操作すると、ユーザＩＤを自動改札機３０に配信することを指示する情報がセンタサーバ装置７０に送信される。
【００６９】
規定領域が利用者によってタップ操作されると、端末処理部１０６は、ユーザＩＤを自動改札機３０に配信するようにセンタサーバ装置７０に指示する（ステップＳ５１２）。次に、センタサーバ装置７０は、ユーザＩＤを自動改札機３０に配信することの指示を取得すると、出場駅となり得る自動改札機３０（駅サーバ２０）にユーザＩＤを配信する（ステップＳ５１４）。出場駅となり得るとは、利用者の定期券の区間内の駅や、利用者の乗車券の区間内の駅である。自動改札機３０は、取得したユーザＩＤを記憶装置に記憶する（ステップＳ５１６）。
【００７０】
なお、利用者が区間外の駅において精算処理を行うことを可能にするために、利用者の定期券の区間外、または利用者の乗車券の区間外の駅サーバ２０にユーザＩＤ、利用者が入場した駅の情報、入場時刻、および利用可能な区間の情報が送信されてもよい。この場合、駅サーバ２０から利用者が入場した駅の情報、および利用可能な区間の情報を取得した精算機や、駅務機器は、入場時刻から所定時間（例えば２時間）内に限り、利用者の交通機関の利用に関して精算処理を行う。
【００７１】
ステップＳ５１２の指示後、端末処理部１０６は、表示部に電話番号およびユーザＩＤをエンコードしたコード画像を表示させる（ステップＳ５１８）。利用者は、出場駅から出場する際に出場駅の自動改札機３０のリーダ３２にコード画像を翳す。
【００７２】
利用者がコード画像を出場駅の自動改札機３０のリーダ３２に翳すと、自動改札機３０のリーダ３２が、端末装置１００の表示部に表示されたコード画像を読み取り、画像にエンコードされたユーザＩＤと、電話番号とを取得する（ステップＳ５２０）。次に、自動改札機３０の改札処理部６０が、利用者が出場することができるか否かを判定して出場を許可すると（ユーザＩＤが配信されていると判定すると）、自動改札機３０の制御部６２が、取得した電話番号をセンタサーバ装置７０に送信する（ステップＳ５２２）。
【００７３】
次に、センタサーバ装置７０の情報処理部７４が、電話番号を受信し、管理テーブル８２を参照して、受信した電話番号に対して入場用の効力情報が対応付けられているか否かを確認し（ステップＳ５２４）、入場用の効力情報が対応付けられている場合、取得した電話番号を有する端末装置１００に所定のＵＲＬを含むメッセージを、ＳＭＳを利用して送信する（ステップＳ５２６）。利用者が、ステップＳ５１０およびステップＳ５１２で説明したようにユーザＩＤの自動改札機３０への配信をセンタサーバ装置７０に指示すると、センタサーバ装置７０にユーザＩＤが配信される。そして、利用者は、所定の操作によって入場時にリーダ３２に翳すコード画像を表示部に表示させ、表示させたコード画像を入場駅の自動改札機３０のリーダ３２に読み取らせることにより入場駅に入場することができる。
【００７４】
上述したように、センタサーバ装置７０は、所定のＵＲＬの情報を含むメッセージを、ＳＭＳを利用して端末装置１００に送信する。そして、端末装置１００が、所定のＵＲＬにアクセスし、利用者により所定の操作が行われることにより、入場駅または出場駅となり得る駅の自動改札機３０にユーザＩＤが配信されることにより、不正利用を抑制することができる。
【００７５】
図１５は、端末装置１００により実行される処理の流れを示すフローチャートである。本処理は、入場駅に入場する際、または出場駅を出場する際に実行される処理である。まず、端末装置１００は、改札処理アプリ１１２が起動したか否かを判定する（ステップＳ６００）。改札処理アプリ１１２が起動すると、コード生成部１０８が、ユーザＩＤおよび電話番号をエンコードしたコード画像を生成し、端末処理部１０６が、生成したコード画像を表示部に表示させる（ステップＳ６０２）。利用者が、コード画像を用いて入場駅に入場した後（または出場駅を出場した後）、端末装置１００は、センタサーバ装置７０から所定のＵＲＬを含むメッセージをＳＭＳで受信したか否かを判定する（ステップＳ６０４）。所定のＵＲＬを含むメッセージをＳＭＳで受信すると、端末装置１００の端末処理部１０６は、自動的にＵＲＬにアクセスして、所定の画像を表示部に表示させる（ステップＳ６０６）。なお、自動的に代えて、利用者によって所定の操作がされた場合に、ＵＲＬにアクセスしてもよい。
【００７６】
次に、端末処理部１０６は、表示部に表示された所定の画像において、ユーザＩＤを自動改札機３０に配信することを指示する操作がされたか否かを判定する（ステップＳ６０８）。ユーザＩＤを自動改札機３０に配信することを指示する操作がされた場合、端末処理部１０６は、センタサーバ装置７０にユーザＩＤを配信することを指示する（ステップＳ６１０）。これにより、本フローチャートの１ルーチンの処理は終了する。
【００７７】
上述した処理により、端末装置１００が、所定のＵＲＬにアクセスした後に所定の操作を行われると、ユーザＩＤが入場駅または出場駅となり得る駅の自動改札機３０に配信されることにより、不正利用を抑制することができる。
【００７８】
なお、上述した第２の実施形態では、端末装置１００の表示部にコード画像が表示されるものとして説明したが、これに代えて（または加えて）、紙等の媒体にコード画像が表示されてもよい。この場合、利用者は、媒体に表示されたコード画像を自動改札機３０に翳し、端末装置１００に対して上述したような操作を行うことで自動改札機３０を通過することができる。
【００７９】
また、上述した第２の実施形態では、自動改札機３０が、コード画像にエンコードされたユーザＩＤがセンタサーバ装置７０により配信されている場合に、入場または出場を許可するものとしたが、これに代えて、上位装置（例えばセンタサーバ装置７０）がユーザＩＤに基づいて、入場または出場を許可することができるか否かを判定してもよい。この場合、自動改札機３０は、上位装置にユーザＩＤを送信し、当該ユーザＩＤに対応する利用者の入場または出場を許可することができるか否かの判定を上位装置に依頼する。そして、自動改札機３０は、上位装置から判定結果に基づいて、利用者の入場または出場を制御する。この場合、上位装置は、ユーザＩＤや、利用可能な区間、利用可能な期間等を管理する。
【００８０】
以上説明した第２の実施形態によれば、自動改札機３０は、リーダ３２により読取られた識別情報から得られる通信アドレスを用いて、端末装置１００に所定のアクセス先を示す情報を送信する処理を実行することにより、不正利用を抑制することができる。
【００８１】
また、第２の実施形態では、利用者によって画像ＩＭに規定された規定領域がタップ操作されることにより、出場駅となり得る駅の自動改札機３０にユーザＩＤが配信されるものとして説明したが、これに代えて（または加えて）、センタサーバ装置７０は、上記のタップ操作がされると、端末装置１００に効力情報を含むメッセージを端末装置１００にＳＭＳ等を利用して送信してもよい。
【００８２】
なお、端末装置１００は、例えばBluetooth（登録商標）などの無線通信を用いて自動改札機３０と通信して、効力情報または所定のＵＲＬを取得してもよい。この場合、コード画像には、自動改札機３０とペアリングのための識別情報がエンコードされている。
【００８３】
なお、第１または第２の実施形態において、効力情報は、センタサーバ装置７０に代えて、端末装置１００において保持および管理されてもよい。この場合、入場用の効力情報によって利用者の入場が許可されると、自動改札機３０が、取得した電話番号をセンタサーバ装置７０に送信する。センタサーバ装置７０は、自動改札機３０により送信された電話番号を取得すると、取得した電話番号を用いて、端末装置１００に、効力情報を表示部に表示することを許可する通知を行う。端末装置１００は、例えば、この通知を取得すると、自装置が保持している効力情報がエンコードされたコードを含む出場用コード画像を自動的に表示部に表示させる。
【００８４】
また、効力情報が端末装置１００において保持および管理され、且つ２つの種類（例えば、定期乗車券および定期外乗車券）の効力情報が保持されている場合、利用者は、所定の操作によって利用する効力情報を選択し、選択した効力情報がエンコードされたコードを含む入場用コード画像を表示部に表示させてもよい。
【００８５】
以上説明した少なくともひとつの実施形態によれば、利用者の端末装置１００に表示された画像から端末装置１００に対応付けられた識別情報（例えば電話番号）を読み取る読取部（リーダ３２、画像処理部５８）と、読取部の処理結果に基づいて、利用者の入場を許可することができるか否かを判定する改札処理部６０と、改札処理部６０により入場が許可された場合、読取部により読取られた識別情報から得られる通信アドレスを用いて、端末装置１００に利用者によって出場時に利用される情報を送信する処理を実行する制御部６２とを持つことにより、不正利用を抑制することができる。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
１…改札システム、３０…自動改札機、３１…筐体、３２…リーダ、３８…通過センサ、４０…上面表示部、４２…正面表示部、４４および４５…扉、５０…制御部、５２…改札機側記憶部、５８…画像処理部、６０…改札処理部、６２…制御部、６６…改札機側通信部、７０…センタサーバ装置、７２…センタサーバ側通信部、７４…情報処理部、８０…センタサーバ側記憶部、８２…管理テーブル、９０…決済サーバ装置、９２…決済サーバ側通信部、９４…決済管理部、９６…決済サーバ側記憶部、９８…決済情報、１００…端末装置、１０２…タッチパネル部、１０４…端末側通信部、１０６…端末処理部、１０８…コード生成部、１１０…端末側記憶部、１１２…改札処理アプリ
【図１】
2019057020.tif 000003
【図２】
2019057020.tif 000004
【図３】
2019057020.tif 000005
【図４】
2019057020.tif 000006
【図５】
2019057020.tif 000007
【図６】
2019057020.tif 000008
【図７】
2019057020.tif 000009
【図８】
2019057020.tif 000010
【図９】
2019057020.tif 000011
【図１０】
2019057020.tif 000012
【図１１】
2019057020.tif 000013
【図１２】
2019057020.tif 000014
【図１３】
2019057020.tif 000015
【図１４】
2019057020.tif 000016
【図１５】
2019057020.tif 000017